(57)【要約】      （修正有）【課題】職場特性を最大限にくみ上げた職域保険を創造することにより、従事する業務を遂行するにあたり、安心して、労働者は従事し、万一の際にも、十分な保障を享受できうる保険を生み出すビジネスメソッドを実現する。職場特性を最大限にくみ上げた職域保険の創造により、従事する業務を遂行するにあたり、安心して、労働者は従事し、万一の際にも、十分な保障を享受できうることを目的とする。【解決手段】職域別組合員より意見を吸い上げ、既存保険との差異を明確化し、保険料率を算定した上で、新規保険を創造する。【選択図】なし【特許請求の範囲】
【請求項１】
通信回線を経由して、現在の共済契約者の、現在の共済に関する意見を、収集し、データベース１ーＡに蓄積する。
【請求項２】
通信回線を経由して、現在の共済契約者の、現在存在しない共済に関する意見を、収集し、データベース１−Ｂに蓄積する。
【請求項３】
通信回線を経由して、現在の共済に興味をもつ契約者以外の意見を、収集し、データベース２ーＡに蓄積する。
【請求項４】
現在の共済契約者の、契約状況をポイント化し、データベース３ーＡに蓄積する。
【請求項５】
意見をあげてくれた方に対し、ポイントを付与する。ポイント情報は、データベース３−Ｂに蓄積する。
【請求項６】
組合員別共済保険加入利用状況を、データベース４ーＡに蓄積する。
【請求項７】
組合員別インターネット利用状況を、データベース４ーＢに蓄積する。
【請求項８】
組合員別組合情報閲覧利用状況を、データベース４ーＣに蓄積する。
【請求項９】
組合員別加入共済保険の情報や給付情報を、データベース５ーＡに蓄積する。
【請求項１０】
現在の共済契約者からの意見を分類管理し定義づけする、マスターデータベース１を用意する。
【請求項１１】
契約者以外からの意見を分類管理し定義づけする、マスターデータベース２を用意する。
【請求項１２】
ポイントの種類と重み付けを管理し定義づけする、マスターデータベース３を用意する。
【請求項１３】
利用状況を管理し定義づけする、マスターデータベース４を用意する。
【請求項１４】
加入共済保険の情報や給付情報を管理し定義づけする、マスターデータベース５を用意する。
【請求項１５】
組合に依存する共済保険コスト情報を管理し定義づけする、マスターデータベース２０を用意する。
【請求項１６】
組合に必要な共済保険別利益情報を管理し定義づけする、マスターデータベース２１を用意する。
【請求項１７】
職業特性を分類管理する、スーパーデータベース１を用意する。
【請求項１８】
職場別特性を分類管理する、スーパーデータベース２を用意する。
【請求項１９】
職種別特性を分類管理する、スーパーデータベース３を用意する。
【請求項２０】
職種別男女性別特性を分類管理する、スーパーデータベース４を用意する。
【請求項２１】
マスターデータベース１とデータベース１ーＡを、ブラックボックス１−Ａに入力として与え、成果として、アウトプット１−Ａを得る。
【請求項２２】
アウトプット１−Ａとは、「共済契約者からの意見の分析結果」である。
【請求項２３】
アウトプット１−Ａと、スーパーデータベース１，２，３，４を、ブラックボックス１−Ａ−１に入力として与え、成果として、アウトプット１−Ａ−１を得る。
【請求項２４】
マスターデータベース１とデータベース１ーＢを、ブラックボックス１−Ｂに入力として与え、成果として、アウトプット１−Ｂを得る。
【請求項２５】
アウトプット１−Ｂとは、「現在存在しない共済に関する意見と現実とのギャップヒット分析結果」である。
【請求項２６】
アウトプット１−Ｂと、スーパーデータベース１，２，３，４を、ブラックボックス１−Ｂ−１に入力として与え、成果として、アウトプット１−Ｂ−１を得る。
【請求項２７】
マスターデータベース２とデータベース２ーＡを、ブラックボックス２−Ａに入力として与え、成果として、アウトプット２−Ａを得る。
【請求項２８】
アウトプット２−Ａとは、「契約者以外からの意見の分析結果である。
【請求項２９】
アウトプット２−Ａと、スーパーデータベース１，２，３，４を、ブラックボックス２−Ａ−１に入力として与え、成果として、アウトプット２−Ａ−１を得る。
【請求項３０】
マスターデータベース３とデータベース３ーＡとデータベース３ーＢを、ブラックボックス３−１に入力として与え、成果として、アウトプット３−１を得る。
【請求項３１】
アウトプット３−１とは、「現在の共済契約者の、契約状況の分析結果」である。
【請求項３２】
アウトプット３−１と、スーパーデータベース１，２，３，４を、ブラックボックス３−１−１に入力として与え、成果として、アウトプット３−１−１を得る。
【請求項３３】
マスターデータベース４とデータベース４ーＡを、ブラックボックス４−Ａに入力として与え、成果として、アウトプット４−Ａを得る。
【請求項３４】
アウトプット４−Ａとは、「組合員別共済保険加入利用状況の分析結果」である。
【請求項３５】
アウトプット４−Ａと、スーパーデータベース１，２，３，４を、ブラックボックス４−Ａ−１に入力として与え、成果として、アウトプット４−Ａ−１を得る。
【請求項３６】
マスターデータベース４とデータベース４ーＢを、ブラックボックス４−Ｂに入力として与え、成果として、アウトプット４−Ｂを得る。
【請求項３７】
アウトプット４−Ｂとは、「組合員別インターネット利用状況の分析結果」である。
【請求項３８】
アウトプット４−Ｂと、スーパーデータベース１，２，３，４を、ブラックボックス４−Ｂ−１に入力として与え、成果として、アウトプット４−Ｂ−１を得る。
【請求項３９】
マスターデータベース４とデータベース４ーＣを、ブラックボックス４−Ｃに入力として与え、成果として、アウトプット４−Ｃを得る。
【請求項４０】
アウトプット４−Ｃとは、「組合員別組合情報閲覧利用状況の分析結果」である。
【請求項４１】
アウトプット４−Ｃと、スーパーデータベース１，２，３，４を、ブラックボックス４−Ｃ−１に入力として与え、成果として、アウトプット４−Ｃ−１を得る。
【請求項４２】
マスターデータベース５とデータベース５ーＡを、ブラックボックス５−Ａに入力として与え、成果として、アウトプット５−Ａを得る。
【請求項４３】
アウトプット５−Ａとは、「組合員別加入共済保険の情報や給付情報の分析結果」である。
【請求項４４】
アウトプット５−Ａと、スーパーデータベース１，２，３，４を、ブラックボックス５−Ａ−１に入力として与え、成果として、アウトプット５−Ａ−１を得る。
【請求項４５】
前項までの成果物である、アウトプット１−Ａ−１，アウトプット１−Ｂ−１，アウトプット２−Ａ−１，アウトプット３−１，アウトプット４−Ａ−１，アウトプット４−Ｂ−１，アウトプット４−Ｃ−１，アウトプット５−Ａ−１，をブラックボックス２０に入力として与え、成果として、アウトプット２０を得る。
【請求項４６】
アウトプット２０とは、「職域別共済保険商品の要件」である。
【請求項４７】
アウトプット２０と、マスターデータベース２０をブラックボックス２１に入力として与え、成果として、アウトプット２１を得る。
【請求項４８】
アウトプット２１とは、「職域別共済保険商品のコスト」である。
【請求項４９】
アウトプット２１と、マスターデータベース２１をブラックボックス２２に入力として与え、成果として、アウトプット２２を得る。
【請求項５０】
アウトプット２１とは、「職域別共済保険商品の販売価格」である。
【請求項５１】
アウトプット２０とアウトプット２１をブラックボックス２３に入力として与え、成果として、アウトプット２３を得る
【請求項５２】
アウトプット２３とは、「職域別共済保険商品を販売するか否かの判断結果：ＯＫ／ＮＧ」である。
【請求項５３】
アウトプット２３が「ＯＫ」であれば、職域別共済保険商品を販売する。販売後、収集する様々なモニタリング結果を、データベース３０に蓄積する。
【請求項５４】
データベース３０をブラックボックス３１に入力として与え、成果として、アウトプット３１を得る。
【請求項５５】
アウトプット３１とは、「モニタリング結果の分析結果」である。
【請求項５６】
アウトプット３１をブラックボックス３２に入力として与え、スーパーデータベース１，２，３，４を更新する。
−−−−−−−−−−−−−−−−−−−
【発明の詳細な説明】
【０００１】
【発明が属する技術分野】
本発明は、ビジネス方法の特許に関するものである。
本発明は、特に明示しない限り、コンピュータやネットワークを活用して実現される。
【０００２】
【従来の技術】
職域保険は存在するが、職場特性に準拠した保険であるとは言いがたい。
【０００３】
【課題を解決するための手段】
インターネットまたは他媒体手段により、利用申込者からの職域保険に関する要望を受け付ける。
【０００４】通信回線を経由して、現在の共済契約者の、現在の共済に関する意見を、収集し、データベース１ーＡに蓄積する。
【０００５】通信回線を経由して、現在の共済契約者の、現在存在しない共済に関する意見を、収集し、データベース１−Ｂに蓄積する。
【０００６】通信回線を経由して、現在の共済に興味をもつ契約者以外の意見を、収集し、データベース２ーＡに蓄積する。
【０００７】現在の共済契約者の、契約状況をポイント化し、データベース３ーＡに蓄積する。
【０００８】意見をあげてくれた方に対し、ポイントを付与する。ポイント情報は、データベース３−Ｂに蓄積する。
【０００９】組合員別共済保険加入利用状況を、データベース４ーＡに蓄積する。
【００１０】組合員別インターネット利用状況を、データベース４ーＢに蓄積する。
【００１１】組合員別組合情報閲覧利用状況を、データベース４ーＣに蓄積する。
【００１２】組合員別加入共済保険の情報や給付情報を、データベース５ーＡに蓄積する。
【００１３】現在の共済契約者からの意見を分類管理し定義づけする、マスターデータベース１を用意する。
【００１４】契約者以外からの意見を分類管理し定義づけする、マスターデータベース２を用意する。
【００１５】ポイントの種類と重み付けを管理し定義づけする、マスターデータベース３を用意する。
【００１６】利用状況を管理し定義づけする、マスターデータベース４を用意する。
【００１７】加入共済保険の情報や給付情報を管理し定義づけする、マスターデータベース５を用意する。
【００１８】組合に依存する共済保険コスト情報を管理し定義づけする、マスターデータベース２０を用意する。
【００１９】組合に必要な共済保険別利益情報を管理し定義づけする、マスターデータベース２１を用意する。
【００２０】職業特性を分類管理する、スーパーデータベース１を用意する。
【００２１】職場別特性を分類管理する、スーパーデータベース２を用意する。
【００２２】職種別特性を分類管理する、スーパーデータベース３を用意する。
【００２３】職種別男女性別特性を分類管理する、スーパーデータベース４を用意する。
【００２４】マスターデータベース１とデータベース１ーＡを、ブラックボックス１−Ａに入力として与え、成果として、アウトプット１−Ａを得る。
【００２５】アウトプット１−Ａとは、「共済契約者からの意見の分析結果」である。
【００２６】アウトプット１−Ａと、スーパーデータベース１，２，３，４を、ブラックボックス１−Ａ−１に入力として与え、成果として、アウトプット１−Ａ−１を得る。
【００２７】マスターデータベース１とデータベース１ーＢを、ブラックボックス１−Ｂに入力として与え、成果として、アウトプット１−Ｂを得る。
【００２８】アウトプット１−Ｂとは、「現在存在しない共済に関する意見と現実とのギャップヒット分析結果」である。
【００２９】アウトプット１−Ｂと、スーパーデータベース１，２，３，４を、ブラックボックス１−Ｂ−１に入力として与え、成果として、アウトプット１−Ｂ−１を得る。
【００３０】マスターデータベース２とデータベース２ーＡを、ブラックボックス２−Ａに入力として与え、成果として、アウトプット２−Ａを得る。
【００３１】アウトプット２−Ａとは、「契約者以外からの意見の分析結果である。
【００３２】アウトプット２−Ａと、スーパーデータベース１，２，３，４を、ブラックボックス２−Ａ−１に入力として与え、成果として、アウトプット２−Ａ−１を得る。
【００３３】マスターデータベース３とデータベース３ーＡとデータベース３ーＢを、ブラックボックス３−１に入力として与え、成果として、アウトプット３−１を得る。
【００３４】アウトプット３−１とは、「現在の共済契約者の、契約状況の分析結果」である。
【００３５】アウトプット３−１と、スーパーデータベース１，２，３，４を、ブラックボックス３−１−１に入力として与え、成果として、アウトプット３−１−１を得る。
【００３６】マスターデータベース４とデータベース４ーＡを、ブラックボックス４−Ａに入力として与え、成果として、アウトプット４−Ａを得る。
【００３７】アウトプット４−Ａとは、「組合員別共済保険加入利用状況の分析結果」である。
【００３８】アウトプット４−Ａと、スーパーデータベース１，２，３，４を、ブラックボックス４−Ａ−１に入力として与え、成果として、アウトプット４−Ａ−１を得る。
【００３９】マスターデータベース４とデータベース４ーＢを、ブラックボックス４−Ｂに入力として与え、成果として、アウトプット４−Ｂを得る。
【００４０】アウトプット４−Ｂとは、「組合員別インターネット利用状況の分析結果」である。
【００４１】アウトプット４−Ｂと、スーパーデータベース１，２，３，４を、ブラックボックス４−Ｂ−１に入力として与え、成果として、アウトプット４−Ｂ−１を得る。
【００４２】マスターデータベース４とデータベース４ーＣを、ブラックボックス４−Ｃに入力として与え、成果として、アウトプット４−Ｃを得る。
【００４３】アウトプット４−Ｃとは、「組合員別組合情報閲覧利用状況の分析結果」である。
【００４４】アウトプット４−Ｃと、スーパーデータベース１，２，３，４を、ブラックボックス４−Ｃ−１に入力として与え、成果として、アウトプット４−Ｃ−１を得る。
【００４５】マスターデータベース５とデータベース５ーＡを、ブラックボックス５−Ａに入力として与え、成果として、アウトプット５−Ａを得る。
【００４６】アウトプット５−Ａとは、「組合員別加入共済保険の情報や給付情報の分析結果」である。
【００４７】アウトプット５−Ａと、スーパーデータベース１，２，３，４を、ブラックボックス５−Ａ−１に入力として与え、成果として、アウトプット５−Ａ−１を得る。
【００４８】前項までの成果物である、アウトプット１−Ａ−１，アウトプット１−Ｂ−１，アウトプット２−Ａ−１，アウトプット３−１，アウトプット４−Ａ−１，アウトプット４−Ｂ−１，アウトプット４−Ｃ−１，アウトプット５−Ａ−１，をブラックボックス２０に入力として与え、成果として、アウトプット２０を得る。
【００４９】アウトプット２０とは、「職域別共済保険商品の要件」である。
【００５０】アウトプット２０と、マスターデータベース２０をブラックボックス２１に入力として与え、成果として、アウトプット２１を得る。
【００５１】アウトプット２１とは、「職域別共済保険商品のコスト」である。
【００５２】アウトプット２１と、マスターデータベース２１をブラックボックス２２に入力として与え、成果として、アウトプット２２を得る。
【００５３】アウトプット２１とは、「職域別共済保険商品の販売価格」である。
【００５４】アウトプット２０とアウトプット２１をブラックボックス２３に入力として与え、成果として、アウトプット２３を得る
【００５５】アウトプット２３とは、「職域別共済保険商品を販売するか否かの判断結果：ＯＫ／ＮＧ」である。
【００５６】アウトプット２３が「ＯＫ」であれば、職域別共済保険商品を販売する。販売後、収集する様々なモニタリング結果を、データベース３０に蓄積する。
【００５７】データベース３０をブラックボックス３１に入力として与え、成果として、アウトプット３１を得る。
【００５８】アウトプット３１とは、「モニタリング結果の分析結果」である。
【００５９】アウトプット３１をブラックボックス３２に入力として与え、スーパーデータベース１，２，３，４を更新する。
【００６０】
【発明の属する技術分野】
職域保険の設計・販売に関する。
【００６１】
【従来の技術】
これまでの職域保険は、保険内容および料金算定にあたり、職場特性をくみ上げた内容ではなく、また料金設定も同様であるといえる。
【００６２】
【発明の効果】
職場特性を最大限にくみ上げた職域保険の創造により、従事する業務を遂行するにあたり、安心して、労働者は従事し、万一の際にも、十分な保障を享受できうる。